(57)【要約】【課題】ユーザに操作が煩わしいと感じさせることなく、簡単な操作で短時間のうちに自分の見つけたい画像を検索することが自在な画像検索機能を持つ画像再生装置を提供する。【解決手段】  十字キーの中の右キーが所定の時間以上操作され続けたら画像検索が行なわれるものとデジタルカメラ内部のＣＰＵにより解され通常モード（図４（ａ））から早送りモード（図４（ｂ））へ自動的に切り替えられる。早送りモードにおいては従来よりもページ切り替えが早く行なわれるように斜めにカーソルを移動させる。【選択図】  図４
2006128959.tif 000002
【特許請求の範囲】
【請求項１】
原画像を表わす原画像データと該原画像のサムネイル画像を表わすサムネイル画像データとの双方が記録された、着脱自在な可搬型メモリを装着して該可搬型メモリに記録された原画像データおよびサムネイル画像データに基づく原画像およびサムネイル画像を表示画面上に表示する画像再生装置において、
前記表示画面上に、複数のサムネイル画像を並べた１ページ分のインデックス画像を表示するとともに、１ページ分のインデックス画像が表示されているときに該インデックス画像を構成する複数のサムネイル画像のうちのいずれかのサムネイル画像の位置にカーソルを重ねて表示する表示制御部と、
前記表示画面上に表示されているカーソルの移動を指示する操作子とを備え、
前記表示制御部が、前記表示画面上のカーソルを移動させるモードとして前記表示画面上に表示されている１ページ分のインデックス画像をラスタ走査するようにカーソルを移動させ端部のサムネイル画像まで移動したら該表示画面上に次ページのインデックス画像を表示して該インデックス画像をラスタ走査するようにカーソルを移動させる通常モードと、前記表示画面上に表示されている１ページ分のインデックス画像の左上と右下とを結ぶ方向を移動させ端部のサムネイル画像まで移動したら該表示画面上に次ページのインデックス画像を表示して該インデックス画像上を前記方向に移動させる早送りモードとを有し、前記操作子の操作状態に応じてモードを切り替えて前記表示画面上の表示を制御するものであることを特徴とする画像再生装置。
【請求項２】
前記表示制御部が、前記表示画面上の表示を前記操作子の操作開始時点では前記通常モードで制御するとともに、該操作子が所定時間以上操作され続けた場合に前記早送りモードに切り替えて制御するものであることを特徴とする請求項１記載の画像再生装置。
【発明の詳細な説明】
【技術分野】
【０００１】
本発明は、原画像を表わす原画像データとその原画像のサムネイル画像を表わすサムネイル画像データとの双方が記録された、着脱自在な可搬型メモリを装着してその可搬型メモリに記録された原画像データおよびサムネイル画像データに基づく原画像およびサムネイル画像を表示画面上に表示する画像再生装置に関する。
【背景技術】
【０００２】
従来より表示画面を備えたデジタルカメラの中には画像再生装置の機能を備えたものが多い。このようにデジタルカメラが画像再生装置の機能を備えていると、画像ファイルが多数記録された、着脱自在な可搬型メモリをデジタルカメラに装填しておけば、装着された可搬型メモリに記録されている、多数の画像ファイルの中のいずれかの既撮影画像データに基づく既撮影画像をデジタルカメラが備える表示部の表示画面上に再生表示することができる。
【０００３】
このような既撮影画像の再生表示を行なう場合には、まず一番新しい撮影により得た画像データに基づく既撮影画像を表示画面上に表示するようにしておいて、さらに操作子の操作に応じて過去に遡るようにしてページを切り替えていって既撮影画像を次々と表示していくようなことを行なっている場合が多い。このようにしておくと、操作を行なって次々と画像を切り替えていくことで自分の見たい画像の画像検索などが簡単に行なえる。
【０００４】
しかし、このような画像検索を行なう場合にメモリ内に記録されている、多数の画像ファイルそれぞれが持つ画像データに基づく画像を一枚一枚画面上に再生表示するようなことを行なっていくと、自分の見たい画像を見つけ出すまでに必要以上に時間が掛かってしまうことがある。
【０００５】
そこで、短時間のうちに検索可能とするため、オートブラケット機能や連写機能を用いて撮影を行なったものにおいては、一番最初に撮影した画像のみを表示するようなことを行なっているものもある（例えば特許文献１参照）。また、ある画像が表示画面上に再生表示されているときに、そのある画像の下方に他の既撮影画像を表すサムネイル画像を表示して、操作に応じて一枚の既撮影画像が再生表示されている最中に画像検索が行なえるようにしているものもある（例えば特許文献２参照）。
【０００６】
しかし、膨大な数の画像データから自分の見たい画像を見つけ出すときには、特許文献１、特許文献２の技術を用いても画像検索に時間が掛かり過ぎてしまう。
【０００７】
そこで、複数のサムネイル画像（原画像の縮小画像）で構成されるインデックス画像を表示画面上に表示するようにして検索に要する時間をさらに短縮しようとするものもある（例えば特許文献３、特許文献４参照）。
【０００８】
図１は、そのインデックス画像と、そのインデックス画像上に重ねて表示されるカーソルとを示す図である。
【０００９】
図１に示す例では、９つのマルチ画面に９つのサムネイル画像が表示された場合の例が示されており、９つの画面の中の１つの画面を囲むように枠状のカーソルが表示されている例が示されている。
【００１０】
図１に示す例では、例えば十字キーの右キーの操作に応じて表示画面上のカーソルを表示画面上に表示されている１ページ分のインデックス画像をラスタ走査するように移動させ端部のサムネイル画像まで移動したら次ページのインデックス画像に更新して次ページのインデックス画像をその表示画面上に表示するようなことを行なっている。さらにインデックス画像が更新された後においても、まだ操作子の操作が継続されている場合には、次ページのインデックス画像上をラスタ走査するようにカーソルを移動させるようにしている。
【００１１】
このように可搬型メモリの中にある他の画像の検索を行ないたいときには、例えば十字キーの右キーが操作され続けている間中、カーソルのラスタ走査的移動が繰り返されページ切り替えが行なわれていくことによってインデックス画像が次々と更新表示される。このようになっていると、例えば９つのサムネイル画像を見て自分の見たい画像ではないと思った場合には、十字キーを操作し続けることによって自分の見つけ出したい画像を手早く検索することができる。
【００１２】
このように複数のサムネイル画像で構成されるインデックス画像が表示されると、一画面上に複数のサムネイル画像が一度に表示されるので、１ページ分の画面で検索する画像数が増えた分、検索に要する時間が短縮される。さらに特許文献３ものでは、検索に要する時間をさらに削減するため、一枚のサムネイル画像が表示される領域を複数に分割して関連のある、例えば連写された既撮影画像を表すサムネイル画像を複数枚一度に表示をするようなことを行なっているのでより検索に要する時間が短縮される。さらに特許文献４のものでは、撮影日時で画像ファイルをグループ分けしておいて、インデックス画像の中の一サムネイル画像が操作により指定されたら、その指定されたサムネイル画像と同じ撮影日時を持つ複数の画像ファイルのサムネイル画像をインデックス画像として表示するようなことを行なっているのでより一層検索に要する時間が短縮される。
【００１３】
しかし、画像検索を行なう場合には、一枚の可搬型メモリだけではなく、可搬型メモリが複数枚に及ぶこともある。そうすると画像データ数が膨大な数になり、操作子の操作に応じてラスタ走査するようにカーソルを移動させたとしても、また上記のように検索時間の短縮を図ることを目的として関連のある画像をグループ化しておくような工夫が凝らされたとしても、どうしても画像データ数に比例して検索用の操作子を操作し続ける時間が長くなってきてしまう。このように検索用の操作子を長い間操作し続けなければならなくなるとユーザによっては煩わしさを感じてしまう人もいる。
【特許文献１】特開２００３−１０１９１０号公報
【特許文献２】特開２００１−２１１４０８号公報
【特許文献３】特開２００２−１１２０７９号公報
【特許文献４】特開２００１−２３０９９２号公報
【発明の開示】
【発明が解決しようとする課題】
【００１４】
本発明は、上記事情に鑑み、ユーザに操作が煩わしいと感じさせることなく、簡単な操作で短時間のうちに自分の見つけたい画像を検索することが自在な画像検索機能を持つ画像再生装置を提供することを目的とする。
【課題を解決するための手段】
【００１５】
上記目的を達成する本発明の画像再生装置は、原画像を表わす原画像データとその原画像のサムネイル画像を表わすサムネイル画像データとの双方が記録された、着脱自在な可搬型メモリを装着してその可搬型メモリに記録された原画像データおよびサムネイル画像データに基づく原画像およびサムネイル画像を表示画面上に表示する画像再生装置において、
上記表示画面上に、複数のサムネイル画像を並べた１ページ分のインデックス画像を表示するとともに、１ページ分のインデックス画像が表示されているときにそのインデックス画像を構成する複数のサムネイル画像のうちのいずれかのサムネイル画像の位置にカーソルを重ねて表示する表示制御部と、
上記表示画面上に表示されているカーソルの移動を指示する操作子とを備え、
上記表示制御部が、前記表示画面上のカーソルを移動させるモードとして上記表示画面上に表示されている１ページ分のインデックス画像をラスタ走査するように移動させ端部のサムネイル画像まで移動したらその表示画面上に次ページのインデックス画像を表示してそのインデックス画像をラスタ走査するように移動させる通常モードと、上記表示画面上に表示されている１ページ分のインデックス画像の左上と右下とを結ぶ方向を移動させ端部のサムネイル画像まで移動したら次ページのインデックス画像を表示してそのインデックス画像上を上記方向に移動させる早送りモードとを有し、上記操作子の操作状態に応じてモードを切り替えて上記表示画面上の表示を制御するものであることを特徴とする。
【００１６】
本発明の画像再生装置によれば、上記早送りモードにより画像検索が行なわれると、カーソルが１ページ分のインデックス画像の左上と右下とを結ぶ方向に移動する。いままではラスタ走査するようにカーソルを水平方向に１コマづつ移動させていたのでカーソルを一ページ分移動させ切るまでの間にかなりの時間を要したが、上記本発明の画像再生装置では、上記早送りモードを設けてカーソルを斜めに移動させるようにしたのでラスタ走査するようにカーソルを移動させたときよりもカーソルを移動させる距離が短くなり、カーソルの速さを同じとすると１ページ内のカーソル移動時間が短くなる。このときにはカーソルの移動速度があまり速くなり過ぎると、カーソルが速く移動し過ぎてページの切り替わりだけがユーザに視認されるようになってしまうこともあるので、一画面に表示されているインデックス画像の内容を斜め読みして理解することができる程度の速さでカーソルを移動させるようにして、１ページのインデックス画像内のカーソルの移動時間をいままでよりも短くしてページ切替を行なう時間間隔を短くしている。
【００１７】
そうすると、操作子を操作し続けている期間中に、いままでよりも多くの数のサムネイル画像を検索することができるようになり、同じ数のサムネイル画像を検索する場合には、いままでの検索に要した時間よりも短い時間で自分の見つけ出したい画像が探し出されるようになる。このように短い時間で自分の見つけ出したい画像が探し出されるようになると、操作子を操作し続ける時間も短縮されて操作が煩わしいという感じをユーザにあまり与えずに済む。
【００１８】
このようにしてユーザに操作が煩わしいと感じさせることなく、簡単な操作で短時間のうちに自分の見つけたい画像を検索することが自在な画像検索機能を持つ画像再生装置が実現される。
【００１９】
上記通常モードと上記早送りモードをユーザに選択させるようにしても良いが、上記表示制御部は、上記表示制御部が、上記表示画面との表示を前記操作子の走査開始時点では上記通常モードで制御するとともに、その操作子が所定時間以上操作され続けた場合に上記早送りモードに切り替えて制御するものであっても良い。
【００２０】
そうすると、上記操作子が所定時間以上操作され続けた場合に、上記表示制御部によって画像検索が行なわれているという様に解釈され上記通常モードが上記早送りモードへ自動的に切り換えられる。このように操作子の操作状況に応じて上記通常モードから上記早送りモードへ自動的に切り替えられるようになっていると、ユーザはわざわざ早送りモードを選択しなくても、短時間のうちに自分の見つけたい画像を検索することができる。
【発明の効果】
【００２１】
以上、説明したように、ユーザに操作が煩わしいと感じさせることなく、簡単な操作で短時間のうちに自分の見つけたい画像を検索することが自在な画像検索機能を持つ画像再生装置が実現される。
【発明を実施するための最良の形態】
【００２２】
以下図面を参照して本発明の実施の形態を説明する。
【００２３】
図２は本発明の画像再生装置の一実施形態であるデジタルカメラの外観を示す図である。
【００２４】
図２（ａ）は正面図、（ｂ）は上面図、（ｃ）は側面図、（ｄ）は背面図であり、図２（ｅ）は電源が未投入でレンズバリアが撮影レンズ前面を覆っている状態を示す図である。
【００２５】
図２（ａ）〜（ｃ）に示す撮影レンズ１０１からカメラ１００内部に配備されている固体撮像素子まで被写体の像が導かれるようになっている。なお、図２（ａ），図２（ｃ）には電源が投入され、撮影レンズ１０１が繰り出された後のカメラの外観が示されているが、図２（ｂ）の脇の図２（ｅ）には電源が投入される前、レンズ１０１前面がレンズバリア１０１ａに覆われている状態も示されている。電源が投入されると、この図２（ｅ）の状態からレンズバリア１０１１が開放されて、図２（ａ）、図２（ｃ）に示すように撮影レンズ１０１が繰り出されて撮影準備が整えられる。
【００２６】
このデジタルカメラ１００ではユーザに自在に撮影を行なわせるため、図２（ｄ）に示すデジタルカメラ１００の背面に多数の操作子が設けられている。その多数の操作子の中には、このデジタルカメラ１００を作動させるための電源投入用のパワースイッチ１０２、撮影モードと再生モードとを切替自在にする撮影・再生モード切替レバー１０３、十字キー１０４、ＯＫ釦１０５ａ、バック釦１０５ｂ、撮影モードを指定するモードダイヤル１０６、フラッシュ１２０をポップアップさせるポップアップスイッチ１０８などがある。
【００２７】
撮影・再生モード切替レバー１０３により撮影モード１０３ａが選択され、このデジタルカメラ１００の上面にあるレリーズ釦１０７が操作されると、撮影の開始指示がデジタルカメラ１００内部の信号処理部へと伝えられ、撮影処理がデジタルカメラ１００内部で行なわれる。また、このデジタルカメラ１００には、マイク１００２（図２（ａ）やそのマイク１００２で収録された音声を再生するためのスピーカ１００３（図２（ｄ））も配備されており、動画像を撮影する場合などにおいては、被写体側の音声をマイク１００２で収録してその収録した音声を画像データに関連づけて記録することもでき、またその記録した動画像データに基づく動画像を音声とともに再生することもできる。
【００２８】
また、デジタルカメラ１００背面側にはスルー画像を表示するためのＬＣＤパネル１０９ａが設けられており、このＬＣＤパネル１０９ａ上には、このデジタルカメラ１００に行なわせる動作をユーザに選択させる選択メニューなども表示される。なお、このＬＣＤパネル１０９ａをファインダとして使用しフレーミングを行なうことも、図２（ａ）に示す直視型のファインダ１００１を使用してフレーミングを行なうこともできる。
【００２９】
また、撮影・再生モード切替レバー１０３が再生モード１０３ｂに切り替えられると、記録メディア１４０に記録されている画像データのいずれかが読み出されてその画像データに基づく画像がＬＣＤパネル１０９ａに表示される。本実施形態のデジタルカメラには選択メニューの中の画像検索という項目が付加されていてこの‘画像検索’が選択されていると、図１に示すようなインデックス画像と枠状のカーソルが表示されるようにもなっている。
【００３０】
さらに、図２（ｃ）に示すカメラ側面には、外部機器との接続用にＴＶモニター端子１００４、ＵＳＢ端子１００５、ＤＣＩＮ端子１００６がそれぞれ設けられており、これらの端子１００４〜１００６に専用のケーブルを接続すると、外部機器とこのデジタルカメラを接続することができる。例えばＴＶモニタ端子１００４を用いてこのデジタルカメラとＴＶモニタを接続すると、デジタルカメラ内に記録されている画像データに基づく画像をＴＶモニタ上に表示することができ、またＵＳＢ端子１００５を用いてこのデジタルカメラとパーソナルコンピュータ（以下ＰＣという）を接続すると、ＰＣの表示画面上に画像を表示することもできる。なおＤＣＩＮ端子１００６に外部電源を接続してデジタルカメラ内部の電池ではなく外部電源から供給される電力によってこのデジタルカメラ１００を動作させることもできる。
【００３１】
図３はデジタルカメラ１００の内部構成を示す図である。
【００３２】
このデジタルカメラ１００の動作は統括的にＣＰＵ１１１により制御される。このＣＰＵ１１１内にはＲＯＭが内蔵されており、その内蔵されたＲＯＭ内にプログラムが格納されている。このプログラムの手順にしたがってデジタルカメラ１００全体の動作がＣＰＵ１１１により制御される。図３（ｄ）に示す電源スイッチ１０２、撮影・再生モード切替レバー１０３、そのほかのスイッチ１０４〜１０８がこのＣＰＵ１１１にすべて接続されており、それらのスイッチのうちいずれかが操作されるとＣＰＵ１１１に操作信号が入力される。
【００３３】
まず、電源スイッチ１０２が投入されると、ＣＰＵ１１１により電源スイッチ１０２が投入されたことが検知され、図２（ｅ）に示すレンズバリア１０１１が開放され、図２（ｃ）に示すように撮影レンズ１０１が繰り出される。このときには、撮影レンズ１０１を繰り出す前にバリアセンサ１０１１ａの出力が変化したことをＣＰＵ１１１で検出した後、撮影レンズ１０１が繰り出される。このように撮影レンズ１０１が繰り出されたら、撮影処理又は再生処理がＣＰＵ１１１により開始される。ＣＰＵ１１１は、電源が投入されたときに撮影・再生モード切替レバー１０３の切替位置を検知して、その検知した切替位置が撮影モード１０３ａであったら撮影処理を開始して画像再生処理回路に指示してスルー画像をＬＣＤパネル１０９ａ上に表示させ、切替位置が再生モード１０３ｂであったら記録メディア１４０に記録されている画像データをメディアコントロール回路１１５に読み出させさらにバスを介して画像再生処理回路１１７にその画像データを供給させている。この画像再生処理回路１１７に、画像データを表示用画像データへ変換する処理を行なわせ、さらにその表示用画像データをＬＣＤドライブ回路１０９へ供給させ、そのＬＣＤドライブ回路１０９にその画像データに基づく画像を表示させている。
【００３４】
ここで、撮影処理について図３を参照して動作を簡単に説明しておく。
【００３５】
ＣＰＵ１１１は、モード切替レバー１０３が図３に示すように撮影モード１０３ａに切り替えられていることを検知して撮影処理を開始し、ＣＣＤ１１０に結像されている被写体を表わす画像データを所定の間隔ごとにＣＤＳＡＭＰ１１１に出力させる。この所定の間隔ごとに出力される画像データを、Ａ／Ｄ変換部１１２以降の信号処理段で処理してスルー画像を得て、そのスルー画像をＬＣＤパネル１０９ａに表示させている。そうすると、撮影レンズ１０１が捉えた範囲の被写体があたかも動画像のようになってＬＣＤパネル１０９ａ上に表示される。
【００３６】
このＬＣＤパネル１０９ａ上に表示されているスルー画像に基づいてユーザによって任意にフレーミングが行なわれ撮影が行なわれるため、このデジタルカメラ１００を向けた方向の被写体がすぐにスルー画像として表示されるように、ＡＦ検出回路１３０で常に合焦点位置を検出して撮影レンズ１０１の中のフォーカスレンズ１０１ａをピント調整機構により合焦点位置に移動させている。このピント調整機構は、フォーカスレンズ１０１ａと、ＡＦ検出回路１３０の合焦点位置の検出結果に基づいてそのフォーカスレンズ１０１ａを駆動するモータ１０１ｃと、そのモータ１０１ｃによりフォーカスレンズ１０１ａを移動させるリードスクリュー（図示せず）、そのリードスクリューの回転により移動したフォーカスレンズ１０１ａの位置を検出するセンサ１０１ｂなどからなる。
【００３７】
また、このピント調整機構でのピント調整のほか、ＡＥ＆ＡＷＢ検出部１３１によって被写界輝度を検出して、小絞、あるいは開放絞り（図示せず）を切り替えて設定したり、ホワイトバランス調整のため、Ｒ、Ｇ、Ｂの各色信号のゲインを調整したりして、鮮明なスルー画像をＬＣＤパネル１０９ａ上に表示させるようにもしている。ユーザはこのスルー画像を見ながらフレーミングを行い、シャッタチャンスにレリーズ操作を行なう。
【００３８】
レリーズ釦１０７が押下されレリーズ操作が行なわれたら、ＣＰＵ１１１は、ＣＣＤ１１０にレリーズ操作時の画像を結像させるため、タイミングジェネレータ（図示せず）からＣＣＤ１１０にタイミング信号を供給させる。このタイミング信号はＣＣＤ１１０に露光開始および露光終了を告げるものでありいわゆるシャッタスピードに相当する。ＣＰＵ１１１はこの露光終了時にＣＣＤ１１０から画像データ（ＲＧＢの光の３原色Ｒ，Ｇ、Ｂからなる）を出力させ、その出力させた画像データが後段のＣＤＳＡＭＰ１１１に供給される。ＣＤＳＡＭＰ１１１では、ＣＣＤ１１０から出力された画像データの雑音の低減が行なわれその雑音が低減された画像データがＡ／Ｄ変換部１１２に供給される。このＡ／Ｄ変換部１１２でデジタル信号に変換されたＲＧＢからなる画像データが画像信号処理回路１１３に供給され、この画像信号処理回路１１３でＲＧＢ信号からＹＣ信号への変換が行なわれる。さらにこのＹＣ信号が圧縮伸張処理回路１１４に供給され圧縮されてメディアコントロール回路１１５を介してその圧縮された画像データが記録メディア１４０に画像ファイルとして記録される。
【００３９】
また、このデジタルカメラ１００には撮影モードを指定する撮影モードダイヤル１０６が配備されており、そのモードダイヤル１０６で指定することができる撮影モードの中には、動画像撮影モードがある。この撮影モードダイヤル１０６で動画撮影モードが指定されている場合には、動画像に基づく動画像データのほかその動画像とともに音声データも記録される。この音声データは、動画像を撮影しているときにマイク１００２を経由して収録される音声であり、そのマイク１００２で収録された音声が音声データとなって音声処理回路１１６に供給され、この音声処理回路１１６でスピーカ１００３に適した音声データに変換される。
【００４０】
ＣＰＵ１１１では、この音声データが動画像撮影中のものであると判断した場合には、その音声データと動画像データとを関連付けて、動画像データファイルとして記録メディア１４０に記録する。
【００４１】
このような撮影機能を持っているデジタルカメラが備える画像再生装置の動作を説明する。
【００４２】
画像再生装置の動作は、デジタルカメラと同様、ＣＰＵにより統括的に制御される。ＣＰＵ１１１は、撮影・再生モード切替レバー１０３が再生１０３ｂ側に切り替えられたことを検知したら、記録メディア１４０内に記録されている画像データをメディアコントロール回路１１５により読み出させ、圧縮・伸張処理回路１１４で伸張処理を行なった画像データを画像再生処理回路１１７に供給させる。この画像再生処理回路１１４では、伸張された画像データにＬＣＤモニタにあった処理を施してからその処理を施した画像データをＬＣＤドライブ回路１０９に出力する。ＬＣＤドライブ回路１０９ではその画像データを受けてＬＣＤパネル１０９ａを駆動し、画像データに基づく画像をＬＣＤパネル１０９ａ上に再生表示させる。本実施形態のデジタルカメラにおいては、再生表示させるにあたって、画面いっぱいに画像データに基づく画像を再生表示させるか、もしくは画像検索が行ない易いようにサムネイル画像を再生表示させるかを選択メニューにより選択することができるようにしてある。もしも撮影者が、前述した‘画像検索’を選択していた場合には、ＬＣＤパネル１０９ａ上に図１に示すようなインデックス画像が表示される。
【００４３】
本実施形態のデジタルカメラ１が備える画像再生装置の表示制御部にあたるＣＰＵ１１１は、従来と同様、枠状のカーソルをＬＣＤパネル１０９ａ上に表示されている１ページ分のインデックス画像をラスタ走査するように移動させ端部のサムネイル画像まで移動したらＬＣＤパネル１０９ａ上に次ページのインデックス画像を表示してインデックス画像をラスタ走査するように移動させる通常モードと、枠状のカーソルを表示画面上に表示されている１ページ分のインデックス画像の左上と右下とを結ぶ方向を移動させ端部のサムネイル画像まで移動したら次ページのインデックス画像を表示してそのインデックス画像上を上記方向に移動させる早送りモードとを有している。この例の画像再生装置の表示制御部であるＣＰＵ１１１は、操作子である十字キー１０４の右キー１０４ｃの走査開始時点では上記通常モードでカーソルを表示するとともに、その十字キー１０４が所定時間以上操作され続けた場合には自動的に上記早送りモードに切り替えてカーソルを表示するものである。
【００４４】
なお、本実施形態では自動的に切り替えを行なっているが、例えば２つのモードを選択項目としてＬＣＤパネル上に表示しておいて、いずれかを十字キーの操作により選択させることによって通常モードと早送りモードの切り替えを行なうようにしても良い。
【００４５】
図４は、本実施形態のＣＰＵが制御する通常モードと早送りモード時のインデックス画像およびカーソルの表示例を説明する図である。
【００４６】
図４の（ａ），（ｂ）それぞれに示されているインデックス画像はいずれも同じインデックス画像であるが左右のものでは、枠状のカーソルの動きが異なる。図４（ａ）には、上記通常モードにおいてカーソルがラスタ走査するように移動することが矢印によって示されており、図４（ｂ）には、上記早送りモードにおいて表示画面上に表示されている１ページ分のインデックス画像の左上と右下とを結ぶ方向に移動することが矢印によって示されている。
【００４７】
前述したように選択メニューの中の一項目にある‘画像検索’が選択されていたら、図４に示すインデックス画像とカーソルが表示されるようになっている。
【００４８】
本実施形態の画像再生装置においては、ＣＰＵ１１１がメディアコントロール回路１１５に指示して記録メディア１４０に記録されている画像ファイルのヘッダ部にあるサムネイル画像データを多数読み出させ読み出させた多数のサムネイル画像をメディアコントロール回路１１５内のフレームメモリに一旦記憶させている。フレームメモリ内に記憶させたら、その多数のサムネイル画像の中の９つのサムネイル画像を画像再生処理回路に供給させ９つのサムネイル画像をインデックス画像として一覧表示させるようにしている。このときにはＣＰＵ１１１がカーソルの表示指示を、画像再生処理回路１１７を介してＬＣＤドライブ回路１０９に供給して、ＬＣＤドライブ回路１０９にカーソルの表示を行なわせている。この例においては、ＣＰＵ１１１が十字キーの操作時間に応じてコマ送り数を算出して、さらにカーソルの現在位置からそのコマ送り数に応じたサムネイル画像の表示位置を算出した後、その位置を画像再生処理回路およびＬＣＤドライブ回路１０９に通知してＬＣＤドライブ回路にＬＣＤパネル１０９ａを駆動させ、ＬＣＤパネル１０９ａ上にカーソルの表示を行なわせている。また、ＣＰＵ１１１は、ラスタ走査するということを画像再生処理回路１１７、ＬＣＤドライブ回路に通知してＬＣＤドライブ回路にラスタ走査するようにカーソルを表示させている。その結果、図４に示すように、インデックス画像に重ねて枠状のカーソルが表示され、さらに矢印に示すラスタ方向にカーソルが移動するようになる。上記ＣＰＵ１１１と上記再生処理回路１１７と上記ＬＣＤドライブ回路１０９とが本発明にいう表示制御部にあたる。
【００４９】
図１の従来例では、このようにラスタ走査するようにカーソルを移動させるのみであったが、本実施形態の画像再生装置では、ＣＰＵ１１１の制御の基、図１のようにラスタ走査方向にカーソルを移動させることに加え、図４（ｂ）に示すようにカーソルを斜めに移動させることができるようにもしている。ここではプログラム内部に二つのモードを記述しておき、十字キーが所定の時間を越えて継続的に操作されていたら、通常モードから早送りモードへの切替が自動的に行なわれて、例えば斜めの位置にある３つのサムネイル画像の位置を移動位置として通知して、さらに斜めにカーソルを移動させるということを画像再生処理回路、ＬＣＤドライブ回路に通知してＬＣＤドライブ回路にカーソルを斜めに移動させるようにカーソルを表示させている。
【００５０】
このようにしておくと、わざわざ画像検索をスイッチやメニューで選択したりすることなく、十字キーの操作時間に応じて画像検索であると解釈され自動的に早送りモードへの切り替えが行なわれるようになる。
【００５１】
図５は、ＣＰＵ１１１が行なう画像検索に係る処理の手順を示すフローチャートである。
【００５２】
‘画像検索’がメニュー画面で選択されていたら、このフローの処理が開始される。
【００５３】
ステップＳ５０１で１ページ分のインデックス画像とカーソルを画像再生処理回路１１７に指示してＬＣＤドライブ回路１０９にＬＣＤパネル１０９ａを駆動させることにより表示させる。次のステップＳ５０２へ進み、十字キー１０４の操作の有無を判定する。ここで有と判定したら、次のステップＳ５０３へ進み、十字キー１０４の操作継続時間が所定の時間Ｔよりも長いかどうかを判定する。このステップＳ５０３で所定の時間Ｔ以上継続されていないと判定したら、Ｎｏ側に進み通常モードを設定してカーソルをラスタ走査の方向にカーソルの操作時間に応じたコマ数分移動させる。ステップＳ５０２へ戻って十字キーの操作有無を判定する。ここで十字キー１０４が操作されていなかったら、カーソルを停止させる。
【００５４】
ステップＳ５０３で、所定時間Ｔ以上、操作が継続されていると判定したら、Ｙｅｓ側に進み、ステップＳ５０６で早送りモードを設定して、ステップＳ５０７でカーソルの斜め移動を開始させる。このステップＳ５０６でカーソルの斜め移動を開始させたらカーソルが端部に移動するまでその斜め移動を継続させる。次のステップＳ５０８へ進んで、十字キーの操作が継続されているかどうかを判定し、継続されていないと判定したらＮｏ側へ進みステップＳ５１１でカーソルを停止させる。またカーソルの操作が継続されていたら、ステップＳ５０９へ進みカーソルの位置が右斜め端部まで移動したかどうかを判定する。このステップＳ５０９で端部まで移動していないと判定したら、Ｎｏ側に進みステップＳ５０８からステップＳ５０９の処理を繰り返し行なう。このステップＳ５０９で移動し切っていると判定したらＹｅｓ側に進み、次のステップＳ５１０へ進んでページの切替を行なってインデックス画像を更新して表示する。ステップＳ５０８へ戻って十字キーの操作が継続されているかどうかを判定し、継続されていると判定したらＹｅｓ側に進みステップＳ５０８からステップＳ５１０の処理を繰り返し、ステップＳ５０８で継続されていないと判定したら、Ｎｏ側に進みステップＳ５１１でカーソルを停止させこのフローの処理を終了する。
【００５５】
このようにしておくと、例えば十字キー１０４の右キー１０４ｃが所定時間以上操作され続けた場合に、上記表示制御部であるＣＰＵ１１１によって画像検索が行なわれているという様に解釈され上記通常モードが上記早送りモードへ自動的に切り換えられる。このように操作子の操作状況に応じて上記通常モードから上記早送りモードへ自動的に切り替えられるようになっていると、ユーザに早送りモードであることを意識させることなく、簡単操作で画像検索が行なえる画像再生装置が達成される。また、いままではインデックス画像を表示して操作キーによりラスタ走査するようにカーソルを移動させていた分、操作時間が少々間延びして長くなりがちであったが、本発明においては、カーソルを斜めに移動させることによりページの切替がより効率的に行なわれているかのような感じががユーザに対してアピールされユーザに操作が煩わしいという感じを与え難くなる。
【００５６】
以上説明したように、ユーザに煩わしさを感じさせることなく、短時間のうちに自分の見たい画像を検索することが自在な操作機能を持つ画像再生装置が実現される。
【００５７】
なお、本実施形態では、画像再生装置を備えるデジタルカメラを一例として掲げたが、専用の画像再生装置であっても良い。
【図面の簡単な説明】
【００５８】
【図１】インデックス画像と、そのインデックス画像上に重ねて表示されるカーソルとを示す図である。
【図２】本発明の一実施形態であるデジタルカメラの外観を示す図である。
【図３】図２のデジタルカメラ１００の内部構成を示す図である。
【図４】本実施形態のＣＰＵが制御する通常モードと早送りモード時のインデックス画像およびカーソルの表示例を説明する図である。
【図５】ＣＰＵ１１１が行なう画像検索に係る処理の手順を示すフローチャートである。
【符号の説明】
【００５９】
１００    デジタルカメラ
１００１    ファインダ
１００２    マイク
１００３    スピーカ
１００４    ＴＶモニタ端子
１００５    ＵＳＢ端子
１００６    ＤＣ入力端子
１０１    撮影レンズ
１０１１    ホームポジションセンサ
１０１２    モータ
１０１３    ドライバ
１０１ａ    レンズバリア
１０１ｂ    バリアセンサ
１０１ｃ    モータ
１０１ｄ    ドライバ
１０２    電源スイッチ
１０３    撮影・再生モード切替レバー
１０３ａ    撮影モード
１０３ｂ    再生モード
１０４    十字キー
１０５ａ    ＯＫ釦
１０５ｂ    バック釦
１０６    撮影モードダイヤル
１０７    レリーズ釦
１０８    ポップアップスイッチ
１０９    ＬＣＤドライブ回路
１０９ａ    ＬＣＤパネル
１１０    ＣＣＤ
１１１    ＣＤＳＡＭＰ
１１２    Ａ／Ｄ変換部
１１３    画像信号処理回路
１１４    圧縮・伸張処理回路
１１５    メディアコントロール回路
１１６  音声処理回路
１１６ａ    音声再生回路
１１７    画像再生処理回路
１１８    ビデオエンコード回路
１３０    ＡＦ検出回路
１３１    ＡＥ＆ＡＷＢ検出回路
【図１】
2006128959.tif 000003
【図２】
2006128959.tif 000004
【図３】
2006128959.tif 000005
【図４】
2006128959.tif 000006
【図５】
2006128959.tif 000007